(57)【要約】【課題】水の抵抗が少なく、蛇行することなくスムースに遊泳することを可能とする。【解決手段】前後方向にのびる基体１と、この基体１に設けられた舵手段２と、基体１上部に設けられたフロート手段３と、基体１下部に設けられ水面下に配される推進手段４とからなり、この推進手段４が、前後方向にのびる一つのシリンダ本体４０と、このシリンダ本体４０に取り付けられ軸方向に進退移動する中空状の噴出シャフト４１と、この噴出シャフト４１の移動に追従しシリンダ本体４０内を前方室と後方室に分けるピストンと、噴出シャフトの進退方向のいずれの移動によっても、前方室又は後方室のいずれか一方へ水を導入し他方の水を噴出シャフト４１内を通じて後方へ圧縮噴出する機構とを備えた。【選択図】図１
2006149414.tif 000002
【特許請求の範囲】
【請求項１】
前後方向にのびる基体（１）と、この基体（１）に設けられた舵手段（２）と、前記基体（１）上部に設けられたフロート手段（３）と、前記基体（１）下部に設けられ水面下に配される推進手段（４）とからなり、この推進手段（４）が、前後方向にのびる一つのシリンダ本体（４０）と、このシリンダ本体（４０）に取り付けられ軸方向に進退移動する中空状の噴出シャフト（４１）と、この噴出シャフト（４１）の移動に追従し前記シリンダ本体（４０）内を前方室（４０ａ）と後方室（４０ｂ）に分けるピストン（４２）と、前記噴出シャフト（４１）の進退方向のいずれの移動によっても、前記前方室（４０ａ）又は後方室（４０ｂ）のいずれか一方へ水を導入し他方の水を前記噴出シャフト（４１）内を通じて後方へ圧縮噴出する機構とを備えたことを特徴とする遊泳補助具。
【請求項２】
前記圧縮噴出機構が、前記シリンダ本体（４０）の前方室（４０ａ）側と後方室（４０ｂ）側とに設けられた開口部（４０ｃ，４０ｄ）と、該各開口部（４０ｃ，４０ｄ）を開閉する開閉バルブ（４３ａ，４３ｂ）と、前記噴出シャフト（４１）の前部に、前後方向に設けられた一対の流通孔群（４４ａ，４４ｂ）と、前記ピストン（４２）に追従し前記噴出シャフト（４１）にスライド可能なように設けられ前記各流通孔群（４４ａ，４４ｂ）のいずれか一方を開口及び閉口する手段（４５）とからなることを特徴とする請求項１に記載の遊泳補助具。
【請求項３】
前記後方室（４０ｂ）へ導入する際の水流を、前方から後方へ向ける手段（４６）が備えられていることを特徴とする請求項１又は２に記載の遊泳補助具。
【請求項４】
前記噴出シャフト（４１）を進退移動する手段が、前記基体（１）の左右に設けられ前後方向に移動可能な一対のスライド部材（１１ａ，１１ｂ）を備え、該各スライド部材（１１ａ，１１ｂ）のいずれか一方が前記噴出シャフト（４１）に連結されており、更に前記各スライド部材（１１ａ，１１ｂ）を連結し相反する方向に移動させるための手段（１４，１５）を併せ備えたことを特徴とする請求項１〜３のいずれかに記載の遊泳補助具。
【発明の詳細な説明】
【技術分野】
【０００１】
この発明は、海やプール等で遊泳する者を補助をするための遊泳補助具に関する。
【背景技術】
【０００２】
従来より、遊泳者の人力を利用する遊泳補助具として、例えば特許文献１のように、一対のシリンダ本体状の推進部を設け、この推進部内のピストンを、足掛け環を備えたシャフトで操作することによって水を排出して推進させるものがある。
しかし、この遊泳補助具は、２つの推進部が設けられ一方の推進部内へ水を導入する際には水が排出されないので、蛇行しスムースに進行することができない。又、推進部を２つ設けているので体積及び重量が大きく、水の抵抗が大である。更に後方から推進部内へ水を吸い込むので、進行を妨げ遊泳者の負担が大きいという問題があった。
【特許文献１】実開昭５８−９５８６１号公報
【発明の開示】
【発明が解決しようとする課題】
【０００３】
本発明の課題は、上記の問題点に鑑み、水の抵抗が少なく、蛇行することなくスムースに遊泳することが可能な遊泳補助具を提供することである。
【課題を解決するための手段】
【０００４】
前記課題を解決するため、本発明に係る遊泳補助具は、前後方向にのびる基体と、この基体に設けられた舵手段と、基体上部に設けられたフロート手段と、基体下部に設けられ水面下に配される推進手段とからなり、この推進手段が、前後方向にのびる一つのシリンダ本体と、このシリンダ本体に取り付けられ軸方向に進退移動する中空状の噴出シャフトと、この噴出シャフトの移動に追従し前記シリンダ本体内を前方室と後方室に分けるピストンと、噴出シャフトの進退方向のいずれの移動によっても、前方室又は後方室のいずれか一方へ水を導入し他方の水を噴出シャフト内を通じて後方へ圧縮噴出する機構とを備えている。
【０００５】
好ましくは、前記圧縮噴出機構が、シリンダ本体の前方室側と後方室側とに設けられた開口部と、この各開口部を開閉する開閉バルブと、噴出シャフトの前部に、前後方向に設けられた一対の流通孔群と、ピストンに追従し噴出シャフトにスライド可能なように設けられ各流通孔群のいずれか一方を開口及び閉口する手段とからなる。
【０００６】
更に好ましくは、前記後方室へ導入する際の水流を、前方から後方へ向ける手段が備えられている。
【０００７】
そして、前記噴出シャフトを進退移動する手段が、基体の左右に設けられ前後方向に移動可能な一対のスライド部材を備え、この各スライド部材のいずれか一方が噴出シャフトに連結されており、更に各スライド部材を連結し相反する方向に移動させるための手段を併せ備えていてもよい。
【発明の効果】
【０００８】
本発明に係る遊泳補助具の推進手段は、一つのシリンダ本体と噴出シャフトで構成されているので、体積や重量が少なく水の抵抗を減少させることができる。又、噴出シャフトの進退方向のいずれの移動によっても、ピストンが前方室又は後方室のいずれか一方へ水を導入し他方の水を噴出シャフト内を通じて後方へ圧縮噴出する機構を備えているので、噴出が止まることなくスムースに遊泳することができる。
更に、基体に舵手段及びフロート手段を備えているので、遊泳中、不意に蛇行しても舵で進行方向を調整することができ、又フロート手段でこの遊泳補助具を水面に浮かせることにより容易に搭乗することができる。
【０００９】
そして、シリンダ本体の後方室へ導入する際の水流を、前方から後方へ向けるための手段を備えることにより、後方室内への水流の導入によって、前方への進行が妨げられることがない。従って従来のように、シリンダ本体内へ導入する水流が後方から前方へ向かう推進手段のように、遊泳の進行を妨げることはない。
【００１０】
又、噴出シャフトを進退移動する手段が、基体の左右に設けられ前後方向に移動可能な一対のスライド部材を備え、各スライド部材のいずれか一方が噴出シャフトに連結されており、各スライド部材を連結し相反する方向に移動させるための手段を併せ備えることにより、例えば遊泳者の脚でスライド部材を操作する場合、一方のスライド部材を押すことにより他方を引くことができるので、比較的少ない脚力で推進させることができる。
【発明を実施するための最良の形態】
【００１１】
以下、添付図面に基づいて、本発明に係る遊泳補助具について詳細に説明する。
【００１２】
図１及び図２は、本発明の遊泳補助具の全体を示す図であって、図１は側面図、図２は平面図である。
図１及び図２の如く、この遊泳補助具は、前後方向にのびる棒状の基体１を備えており、この基体１の前部に舵手段２が設けられている。この基体１の上部には、フロート手段３が設けられている。本実施例での遊泳補助具は、遊泳者がうつむけになった状態で操作するよう構成されており、遊泳者の手１０１で舵手段２を操作し、遊泳者の腹部１００がフロート手段３に載置するようになっている。舵手段２は、基体１の左右に設けられた舵プレート２ａ，２ｂを備えており、この舵プレート２ａ，２ｂを操作して遊泳補助具の舵を取る。フロート手段３は、発泡樹脂や木材等で遊泳者の腹部１００にフィットするよう形成されており、少なくとも遊泳補助具を水面に浮かせることができる浮力を有したものである。
【００１３】
基体１の下部には、推進手段４が設けられている。この推進手段４を操作することによって、この遊泳補助具を推進する。推進手段４は、前後方向にのびる一つのシリンダ本体４０を備えており、このシリンダ本体４０は取付け部材３０，３０’を介して基体１に連結固定されている。更に推進手段４は、前後方向にのびる中空状の噴出シャフト４１を備えている。この噴出シャフト４１は、シリンダ本体４０の内部から後方へ突出してのびるよう取り付けられており、遊泳者がこの噴出シャフト４１を軸方向（前後方向）に進退移動（往復移動）させることにより、後端４１ａから水を圧縮噴出させて推進させる。この構成については、後述で詳細に説明する。
【００１４】
次に、噴出シャフト４１を進退移動させる手段について説明する。図２の如く、基体１の後方の左右に、前後方向にのび左右に平行に配された一対のレール部材１０ａ，１０ｂが設けられている。このレール部材１０ａ，１０ｂは、取付け部材３０’を介して基体１に連結固定され、連結部材１０ｃで後部側が位置固定されている。そして、各レール部材１０ａ，１０ｂにはスライド部材１１ａ，１１ｂが設けられており、このスライド部材１１ａ，１１ｂは、レール部材１０ａ，１０ｂに沿って前後方向に移動可能となっている。
そして、各スライド部材１１ａ，１１ｂの一方１１ａは、連結部材１３を介して噴出シャフト４１に連結固定されている。各スライド部材１１ａ，１１ｂは、プーリー１４を介して連結ベルト１５で連結されており、それぞれのスライド部材１１ａ，１１ｂが相反する方向に移動するよう連結されている。
【００１５】
又、各スライド部材１１ａ，１１ｂは、左右方向に突出する脚置き部１２ａ，１２ｂが設けられ、この脚置き部１２ａ，１２ｂに遊泳者の足の裏１０２ａ，１０２ｂを配置するようになっている。従って、遊泳者の足の裏を、足置き部１２ａ，１２ｂに置いた状態で、各スライド部材１１ａ，１１ｂを押すことにより、噴出シャフト４１を軸方向に進退移動させることができる。即ち、各スライド部材１１ａ，１１ｂは、連結ベルト１５によって連結されているので、スライド部材１１ａ，１１ｂのいずれか一方を後方へ押せば、それに追従して他方が前方へ移動するので、遊泳者は脚で押すだけで噴出シャフト４１を軸方向へ移動可能であって、遊泳者の脚力を少なくできる。
この実施例では、スライド部材１１ａ，１１ｂを連結し相反する方向に移動させる手段が、プーリー１４と連結ベルト１５で構成されているが、ラックにスライド部材１１ａ，１１ｂを設けてピニオンを介して連結した構成等でもよい。
【００１６】
図３及び図４は、推進手段を示す一部断面図であって、図３は噴出シャフトを前方へ移動した状態、図４は噴出シャフトを後方へ移動した状態である。推進手段４は、前後方向にのびる中空状のシリンダ本体４０を備えている。このシリンダ本体４０の前部には、前開口部４０ｃ及びこれを開閉するための前開閉バルブ４３ａが設けられており、シリンダ本体４０の後部には、後開口部４０ｄ及びこれを開閉するための後開閉バルブ４３ｂが設けられている。各開閉バルブ４３ａ，４３ｂは、コイルバネ４７ａ，４７ｂで各開口部４０ｃ、４０ｄを閉じる方向へ付勢されている。
【００１７】
更に、シリンダ本体４０の後部外側には、シリンダ本体４０の外径よりも大きな内径であって、前方が開口した中空状の外側シリンダ本体４６が嵌め込まれて位置固定されている。この外側シリンダ本体４６は、後端側が塞がれており、内部に後開閉バルブ４３ｄ及びコイルバネ４７ｂが設けられている。そして、外側シリンダ本体４６とシリンダ本体４０との間の空間で形成された流路４６ａによって、水が前方から後方へ流れ、後開口部４０ｄを通じてシリンダ本体４０内へ流れる。
【００１８】
シリンダ本体４０内には、前後方向にのびる噴出シャフト４１が配されており、シリンダ本体４０の後端から突出して設けられている。この噴出シャフト４１は中空状であって、前部にはピストン４２が設けられている。このピストン４２は、シリンダ本体４０の内径と略同じ径の円板状に形成されており、シリンダ本体４０内を前方室４０ａと後方室４０ｂに分割する。
【００１９】
噴出シャフト４１の前部には、前後方向に一対の流通孔群４４ａ，４４ｂが設けられている。各流通孔群４４ａ，４４ｂは、一又は２以上の流通孔によって構成されており、噴出シャフト４１内へ通じている。そして、ピストン４２には、この流通孔群４４ａ，４４ｂを開口及び閉口するための開閉部材４５が設けられている。この開閉部材４５は、噴出シャフト４１に嵌め込まれ、前後方向にスライド可能に設けられている。そして、開閉部材４５が前方へ移動した際には、前方の流通孔群４４ａが閉口して後方の流通孔群４４ｂが開口し、開閉部材４５が後方へ移動した際には、前方の流通孔群４４ａが開口して後方の流通孔群４４ｂが閉口するよう構成されている。この開閉部材４５のスライド移動は、噴出シャフト４１に、前後方向に設けられた一対の規制部材４９ａ，４９ｂで規制される。そして前方の規制部材４９ａは、噴出シャフト４１の前端開口を塞いでもいる。
【００２０】
推進手段４の圧縮噴出機構の動作説明をする。先ず、推進手段４を水面下に配することにより、水圧によって各開閉バルブ４３ａ，４３ｂが開き、各開口部４０ｃ，４０ｄからシリンダ本体４０内へ水が流れ充填される。シリンダ本体４０内に水が充填されることによって、シリンダ本体４０内外の水圧が均等になり、各開閉バルブ４３ａ，４３ｂはコイルバネ４７ａ，４７ｂにより閉じられる。
【００２１】
図３の如く、噴出シャフト４１を前方へ移動することにより、ピストン４２が前方へ追従移動し、シリンダ本体４０の前方室４０ａ内の水が圧縮され水圧が高くなる。それにより、ピストン４２及び開閉部材４５は、各規制部材４９ａ，４９ｂ間の後方側に位置するので、前方の流通孔群４４ａが開口して、前方室４０ａ内の水が流通孔群４４ａを通じて噴出シャフト４１内を通過し、噴出シャフト４１の後端開口４１ａから圧縮水が噴出される。それと同時に、後方室４０ｂ内の水圧が低くなるので、シリンダ本体４０外部の水が、流路４６ａを通じて後開閉バルブ４３ｂを開口し、後開口部４０ｄから後方室４０ｂ内へ流れ均等な水圧となる。
【００２２】
図４の如く、噴出シャフト４１を後方へ移動することにより、ピストン４２が後方へ追従移動し、シリンダ本体４０の後方室４０ｂ内の水が圧縮され水圧が高くなる。それにより、ピストン４２及び開閉部材４５は、各規制部材４９ａ，４９ｂ間の前方側に位置するので、後方の流通孔群４４ａが開口して、後方室４０ｂ内の水が流通孔群４４ｂを通じて噴出シャフト４１内を通過し、噴出シャフト４１の後端開口４１ａから圧縮水が噴出される。それと同時に、前方室４０ａ内の水圧が低くなるので、シリンダ本体４０外部の水が、前開閉バルブ４３ａを開口し、前開口部４０ｃから前方室４０ａ内へ流れる。その際、ゴミ等が流入しないよう、網目状のカバー部材４８（点線）が、シリンダ本体４０の前端に設けられている。
【００２３】
前記のように、噴出シャフト４１の進退方向いずれの移動によっても、シリンダ本体４０内の水を圧縮して、噴出シャフト４１内を通じて後方へ噴出することができるので、遊泳者は噴出による推進を停止することなくスムースに遊泳することができる。
又、外側シリンダ本体４６によって、シリンダ本体４０の後方室４０ｂ内へ導入する際の水流が前方から後方へ向かうので、この水流で推進を補助することもできる。
【００２４】
図５は、舵手段を説明するための図であって、（ａ）は側面図、（ｂ）は正面図である。舵手段２は、基体１の左右に舵プレート２ａ，２ｂを備えており、この舵プレート２ａ，２ｂは、Ｌ字状に折り曲げて形成されている。そして、各舵プレート２ａ，２ｂの垂直部分には、縦長の孔状の持ち手部２５が設けられており、遊泳者はこの持ち手部２５に手を挿通して舵プレート２ａ，２ｂを握ることができる。各舵プレート２ａ，２ｂは、水平部材２１の両端に設けられた回転自在な回転軸２２ａ，２２ｂを介して連結されている。そして、この水平部材２１は、垂直部材２０を介して基体１に軸回転自在に連結されている。
従って、各舵プレート２ａ，２ｂは、回転軸２２ａ，２２ｂを中心に前後方向に回転傾斜できると共に、垂直部材２０を中心に水平状態で回転可能である。この舵プレート２ａ，２ｂは、遊泳中水面下に位置するので、遊泳者はこの舵プレート２ａ，２ｂを操作することによって、遊泳補助具の舵を取ることができる。
【図面の簡単な説明】
【００２５】
【図１】本発明に係る遊泳補助具の全体を示す側面図である。
【図２】図１の平面図である。
【図３】噴出シャフトを前方へ移動いた状態の推進手段を示す一部断面図である。
【図４】噴出シャフトを後方へ移動いた状態の推進手段を示す一部断面図である。
【図５】舵手段を説明するための図であって、（ａ）は側面図、（ｂ）は正面図である。
【符号の説明】
【００２６】
１・・・基体
２・・・舵手段
３・・・フロート手段
４・・・推進手段
４０・・・シリンダ本体
４１・・・噴出シャフト
４２・・・ピストン
４０ａ・・・シリンダ本体の前方室
４０ｂ・・・シリンダ本体の後方室
４０ｃ，４０ｄ・・・開口部
４３ａ，４３ｂ・・・開閉バルブ
４４ａ，４４ｂ・・・一対の流通孔群
４５・・・開閉部材
４６・・・外側シリンダ本体
１１ａ，１１ｂ・・・スライド部材
１４・・・プーリー
１５・・・連結ベルト
【図１】
2006149414.tif 000003
【図２】
2006149414.tif 000004
【図３】
2006149414.tif 000005
【図４】
2006149414.tif 000006
【図５】
2006149414.tif 000007